(57)【要約】【課題】住戸間連携の迅速性や確実性を向上させることが可能となる、送信機、受信機、及び告知放送システムを提供すること。【解決手段】送信機２は、告知放送信号を複数の受信機３に送信する送信機２であって、各受信機３から、当該各受信機３の設置場所で異常が発生した旨を示す異常信号を受信する受信手段と、受信手段によって、複数の受信機３の少なくとも一つの受信機から異常信号が受信された場合に、当該異常信号が送信された受信機３の設置場所で異常が発生した旨を報知するための異常報知情報を生成する異常報知情報生成部２５ａと、異常報知情報生成部２５ａにて生成された異常報知情報を、異常信号が送信された受信機３以外の他の受信機３に出力させるために、当該異常報知情報を含む信号を当該他の受信機３に送信する送信手段とを備えている。【選択図】図１
2014006824.tif 000002
【特許請求の範囲】
【請求項１】
告知放送信号を複数の受信機に送信する送信機であって、
各受信機から、当該各受信機の設置場所で異常が発生した旨を示す異常信号を受信する受信手段と、
前記受信手段によって、前記複数の受信機の少なくとも一つの受信機から前記異常信号が受信された場合に、当該異常信号が送信された受信機の設置場所で異常が発生した旨を報知するための異常報知情報を生成する異常報知情報生成手段と、
前記異常報知情報生成手段にて生成された前記異常報知情報を、前記異常信号が送信された受信機以外の他の受信機に出力させるために、当該異常報知情報を含む信号を当該他の受信機に送信する送信手段と、
を備える送信機。
【請求項２】
前記受信機を一意に識別するための個別アドレスを特定するための個別アドレス情報同士を、相互に関連付けて格納する個別アドレス情報格納手段と、
前記個別アドレス情報に基づいて、前記送信手段の制御を行う制御手段と、を備え、
前記制御手段は、
前記受信手段によって、前記複数の受信機の少なくとも一つの受信機から前記個別アドレス情報が付加された前記異常信号が受信された場合に、当該付加された前記個別アドレス情報と関連付けられた個別アドレス情報を前記個別アドレス情報格納手段から特定し、当該特定した前記個別アドレス情報に基づいて、前記異常報知情報を含む信号を前記送信手段によって送信させる、
請求項１に記載の送信機。
【請求項３】
前記受信機が属するグループを一意に識別するためのグループアドレスを特定するためのグループアドレス情報と、前記受信機を一意に識別するための個別アドレスを特定するための個別アドレス情報とを、相互に関連付けて格納するグループアドレス情報格納手段と、
前記個別アドレス情報に基づいて、前記送信手段の制御を行う制御手段と、を備え、
前記制御手段は、
前記受信手段によって、前記複数の受信機の少なくとも一つの受信機から前記グループアドレス情報が付加された前記異常信号が受信された場合に、当該付加された前記グループアドレス情報に対応する個別アドレス情報を前記グループアドレス情報格納手段から特定し、当該特定した前記個別アドレス情報に基づいて、前記異常報知情報を含む信号を前記送信手段によって送信させる、
請求項１に記載の送信機。
【請求項４】
前記個別アドレス情報と、前記受信機の位置関係を特定するための位置関係情報とを、相互に関連付けて格納している位置関係情報格納手段を備え、
前記制御手段は、
前記受信手段によって、前記複数の受信機の少なくとも一つの受信機から前記異常信号が受信された場合に、前記位置関係情報格納手段に格納された前記位置関係情報を参照して、前記異常信号が送信された受信機と所定の位置関係にある受信機の個別アドレス情報を特定し、当該特定した個別アドレス情報に基づいて、前記異常報知情報を含む信号を前記送信手段によって送信させる、
請求項２又は３に記載の送信機。
【請求項５】
前記受信手段は、
前記異常信号が送信された受信機以外の他の受信機の少なくとも一つの受信機から、当該異常信号が送信された受信機の設置場所で発生した異常の確認に向かう旨を示す信号を受信し、
前記異常報知情報生成手段は、
前記受信手段によって、前記異常信号が送信された受信機の設置場所で発生した異常の確認に向かう旨を示す信号が受信された場合に、前記異常信号が送信された受信機の設置場所で発生した異常の確認に向かっている旨を示す異常確認情報を生成し、
前記送信手段は、
前記異常報知情報生成手段にて生成された前記異常確認情報を、前記異常信号が送信された受信機に出力させるために、当該異常確認情報を含む信号を当該受信機に送信する、
請求項１から４のいずれか一項に記載の送信機。
【請求項６】
前記受信手段は、
前記異常信号が送信された受信機から、当該受信機の設置場所で発生した異常が取消された旨を示す信号を受信し、
前記異常報知情報生成手段は、
前記受信手段によって、前記異常信号が送信された受信機の設置場所で発生した異常が取消された旨を示す信号が受信された場合に、当該異常が取消された旨を示す異常取消し情報を生成し、
前記送信手段は、
前記異常報知情報生成手段にて生成された前記異常取消し情報を、前記異常信号が送信された受信機以外の他の受信機に出力させるために、当該異常取消し情報を含む信号を当該他の受信機に送信する、
請求項１から５のいずれか一項に記載の送信機。
【請求項７】
送信機から告知放送信号を受信して告知放送を行う受信機であって、
当該受信機の設置場所で異常が発生した旨の入力を受け付ける異常入力手段と、
前記送信機から当該受信機以外の他の受信機の設置場所で異常が発生した旨を報知するための異常報知情報を含む信号を受信する報知情報受信手段と、
前記異常入力手段によって、前記異常が発生した旨の入力が受け付けられた場合に、当該受信機の設置場所で異常が発生した旨を示す異常信号を前記送信機に送信する異常信号送信手段と、
前記報知情報受信手段によって、前記送信機から前記異常報知情報を含む信号が受信された場合に、当該異常報知情報を出力する出力手段と、
を備える受信機。
【請求項８】
送信機から告知放送信号を複数の受信機に送信し、当該送信された告知放送信号を各受信機にて受信し、当該受信した告知放送信号に基づく告知放送を各受信機にて行う告知放送システムであって、
各受信機は、
当該各受信機の設置場所で異常が発生した旨の入力を受け付ける異常入力手段と、
前記異常入力手段によって前記異常が発生した旨の入力が受け付けられた場合に、当該受信機の設置場所で異常が発生した旨を示す異常信号を前記送信機に送信する異常信号送信手段と、
前記送信機から所定情報を含む信号を受信する報知情報受信手段と、
前記報知情報受信手段によって受信された前記所定情報を出力する出力手段と、を備え、
前記送信機は、
各受信機から前記異常信号を受信する受信手段と、
前記受信手段によって、前記複数の受信機の少なくとも一つの受信機から前記異常信号が受信された場合に、当該異常信号が送信された受信機の設置場所で異常が発生した旨を報知するための異常報知情報を生成する異常報知情報生成手段と、
前記異常報知情報生成手段にて生成された前記異常報知情報を、前記異常信号が送信された受信機以外の他の受信機に出力させるために、当該異常報知情報を含む信号を当該他の受信機に送信する送信手段と、を備え、
前記異常信号が送信された受信機以外の他の受信機の前記報知情報受信手段によって、前記送信機から前記異常報知情報を含む信号が受信された場合に、当該他の受信機の前記出力手段は、当該異常報知情報を出力する、
告知放送システム。
【発明の詳細な説明】
【技術分野】
【０００１】
本発明は、告知放送を行うための告知放送システムと、この告知放送システムに用いられる送信機、及び受信機に関する。
【背景技術】
【０００２】
センターから複数の住戸に対して各種の告知放送を行うための告知放送システムが普及している。この告知放送システムは、概略的に、センター側に配置したセンター装置と、各住戸内に設置した受信機とを、ＣＡＴＶ等の伝送線路を介して相互に接続して構成されている。そして、地域のイベント開催又はＦＭラジオ放送等の一般放送や、火災や地震等の災害が発生した時の緊急放送を行う際、センター装置は告知放送信号を伝送線路を介して送信し、この告知放送信号を受信機が受信して、告知放送をスピーカにて音声出力する（例えば、特許文献１参照）。
【先行技術文献】
【特許文献】
【０００３】
【特許文献１】特開２０１２−００８２８７号公報
【発明の概要】
【発明が解決しようとする課題】
【０００４】
しかしながら、従来の告知放送システムは、センター装置側から受信機側への一方的な通信を行うものに過ぎなかったので、例えば、特定の住戸で火災が発生した場合に、当該告知放送システムを利用して、当該特定の住戸で火災が発生した旨を、当該特定の住戸の近隣住戸に知らせることが困難であった。そのため、上記特定の住戸の住人は、自ら近隣住戸に声を掛けること等により、火災が発生した旨を知らせなければならず、住戸間連携の迅速性や確実性に乏しいという問題があった。
【０００５】
本発明は、上記に鑑みてなされたものであって、住戸間連携の迅速性や確実性を向上させることが可能となる、送信機、受信機、及び告知放送システムを提供することを目的とする。
【課題を解決するための手段】
【０００６】
上述した課題を解決し、目的を達成するために、請求項１に記載の送信機は、告知放送信号を複数の受信機に送信する送信機であって、各受信機から、当該各受信機の設置場所で異常が発生した旨を示す異常信号を受信する受信手段と、前記受信手段によって、前記複数の受信機の少なくとも一つの受信機から前記異常信号が受信された場合に、当該異常信号が送信された受信機の設置場所で異常が発生した旨を報知するための異常報知情報を生成する異常報知情報生成手段と、前記異常報知情報生成手段にて生成された前記異常報知情報を、前記異常信号が送信された受信機以外の他の受信機に出力させるために、当該異常報知情報を含む信号を当該他の受信機に送信する送信手段とを備えている。
【０００７】
また、請求項２に記載の送信機は、請求項１に記載の送信機において、前記受信機を一意に識別するための個別アドレスを特定するための個別アドレス情報同士を、相互に関連付けて格納する個別アドレス情報格納手段と、前記個別アドレス情報に基づいて、前記送信手段の制御を行う制御手段と、を備え、前記制御手段は、前記受信手段によって、前記複数の受信機の少なくとも一つの受信機から前記個別アドレス情報が付加された前記異常信号が受信された場合に、当該付加された前記個別アドレス情報と関連付けられた個別アドレス情報を前記個別アドレス情報格納手段から特定し、当該特定した前記個別アドレス情報に基づいて、前記異常報知情報を含む信号を前記送信手段によって送信させる。
【０００８】
また、請求項３に記載の送信機は、請求項１に記載の送信機において、前記受信機が属するグループを一意に識別するためのグループアドレスを特定するためのグループアドレス情報と、前記受信機を一意に識別するための個別アドレスを特定するための個別アドレス情報とを、相互に関連付けて格納するグループアドレス情報格納手段と、前記個別アドレス情報に基づいて、前記送信手段の制御を行う制御手段と、を備え、前記制御手段は、前記受信手段によって、前記複数の受信機の少なくとも一つの受信機から前記グループアドレス情報が付加された前記異常信号が受信された場合に、当該付加された前記グループアドレス情報に対応する個別アドレス情報を前記グループアドレス情報格納手段から特定し、当該特定した前記個別アドレス情報に基づいて、前記異常報知情報を含む信号を前記送信手段によって送信させる。
【０００９】
また、請求項４に記載の送信機は、請求項２又は３に記載の送信機において、前記個別アドレス情報と、前記受信機の位置関係を特定するための位置関係情報とを、相互に関連付けて格納している位置関係情報格納手段を備え、前記制御手段は、前記受信手段によって、前記複数の受信機の少なくとも一つの受信機から前記異常信号が受信された場合に、前記位置関係情報格納手段に格納された前記位置関係情報を参照して、前記異常信号が送信された受信機と所定の位置関係にある受信機の個別アドレス情報を特定し、当該特定した個別アドレス情報に基づいて、前記異常報知情報を含む信号を前記送信手段によって送信させる。
【００１０】
また、請求項５に記載の送信機は、請求項１から４のいずれか一項に記載の送信機において、前記受信手段は、前記異常信号が送信された受信機以外の他の受信機の少なくとも一つの受信機から、当該異常信号が送信された受信機の設置場所で発生した異常の確認に向かう旨を示す信号を受信し、前記異常報知情報生成手段は、前記受信手段によって、前記異常信号が送信された受信機の設置場所で発生した異常の確認に向かう旨を示す信号が受信された場合に、前記異常信号が送信された受信機の設置場所で発生した異常の確認に向かっている旨を示す異常確認情報を生成し、前記送信手段は、前記異常報知情報生成手段にて生成された前記異常確認情報を、前記異常信号が送信された受信機に出力させるために、当該異常確認情報を含む信号を当該受信機に送信する。
【００１１】
また、請求項６に記載の送信機は、請求項１から５のいずれか一項に記載の送信機において、前記受信手段は、前記異常信号が送信された受信機から、当該受信機の設置場所で発生した異常が取消された旨を示す信号を受信し、前記異常報知情報生成手段は、前記受信手段によって、前記異常信号が送信された受信機の設置場所で発生した異常が取消された旨を示す信号が受信された場合に、当該異常が取消された旨を示す異常取消し情報を生成し、前記送信手段は、前記異常報知情報生成手段にて生成された前記異常取消し情報を、前記異常信号が送信された受信機以外の他の受信機に出力させるために、当該異常取消し情報を含む信号を当該他の受信機に送信する。
【００１２】
また、請求項７に記載の受信機は、送信機から告知放送信号を受信して告知放送を行う受信機であって、当該受信機の設置場所で異常が発生した旨の入力を受け付ける異常入力手段と、前記送信機から当該受信機以外の他の受信機の設置場所で異常が発生した旨を報知するための異常報知情報を含む信号を受信する報知情報受信手段と、前記異常入力手段によって、前記異常が発生した旨の入力が受け付けられた場合に、当該受信機の設置場所で異常が発生した旨を示す異常信号を前記送信機に送信する異常信号送信手段と、前記報知情報受信手段によって、前記送信機から前記異常報知情報を含む信号が受信された場合に、当該異常報知情報を出力する出力手段とを備えている。
【００１３】
また、請求項８に記載の告知放送システムは、送信機から告知放送信号を複数の受信機に送信し、当該送信された告知放送信号を各受信機にて受信し、当該受信した告知放送信号に基づく告知放送を各受信機にて行う告知放送システムであって、各受信機は、当該各受信機の設置場所で異常が発生した旨の入力を受け付ける異常入力手段と、前記異常入力手段によって前記異常が発生した旨の入力が受け付けられた場合に、当該受信機の設置場所で異常が発生した旨を示す異常信号を前記送信機に送信する異常信号送信手段と、前記送信機から所定情報を含む信号を受信する報知情報受信手段と、前記報知情報受信手段によって受信された前記所定情報を出力する出力手段と、を備え、前記送信機は、各受信機から前記異常信号を受信する受信手段と、前記受信手段によって、前記複数の受信機の少なくとも一つの受信機から前記異常信号が受信された場合に、当該異常信号が送信された受信機の設置場所で異常が発生した旨を報知するための異常報知情報を生成する異常報知情報生成手段と、前記異常報知情報生成手段にて生成された前記異常報知情報を、前記異常信号が送信された受信機以外の他の受信機に出力させるために、当該異常報知情報を含む信号を当該他の受信機に送信する送信手段と、を備え、前記異常信号が送信された受信機以外の他の受信機の前記報知情報受信手段によって、前記送信機から前記異常報知情報を含む信号が受信された場合に、当該他の受信機の前記出力手段は、当該異常報知情報を出力する。
【発明の効果】
【００１４】
請求項１に記載の送信機によれば、受信手段によって、複数の受信機の少なくとも一つの受信機から異常信号が受信された場合に、異常報知情報生成手段は、当該異常信号が送信された受信機の設置場所で異常報知情報を生成し、送信手段は、この異常報知情報を含む信号を当該他の受信機に送信するので、当該他の受信機のユーザに対して、異常信号が送信された受信機の設置場所で異常が発生したことを迅速、且つ確実に知らせることができ、住戸間連携の迅速性や確実性を向上させることができる。
【００１５】
また、請求項２に記載の送信機によれば、制御手段は、受信手段によって、複数の受信機の少なくとも一つの受信機から個別アドレス情報が付加された異常信号が受信された場合に、当該付加された個別アドレス情報と関連付けられた個別アドレス情報に基づいて、異常報知情報を含む信号を送信手段によって送信させるので、異常信号が送信された受信機と関連のある受信機のユーザに対して、異常信号が送信された受信機の設置場所で異常が発生したことを知らせることができ、状況に応じた住戸間連携を行うことができる。
【００１６】
また、請求項３に記載の送信機によれば、制御手段は、受信手段によって、複数の受信機の少なくとも一つの受信機からグループアドレス情報が付加された異常信号が受信された場合に、当該付加されたグループアドレス情報に対応する個別アドレス情報に基づいて、異常報知情報を含む信号を送信手段によって送信させるので、異常信号が送信された受信機と同じグループに属する受信機のユーザに対して、異常信号が送信された受信機の設置場所で異常が発生したことを知らせることができ、状況に応じた住戸間連携を行うことができる。
【００１７】
また、請求項４に記載の送信機によれば、制御手段は、受信手段によって、複数の受信機の少なくとも一つの受信機から異常信号が受信された場合に、異常信号が送信された受信機と所定の位置関係にある受信機の個別アドレス情報に基づいて、異常報知情報を含む信号を送信手段によって送信させるので、例えば、異常信号が送信された受信機と関連のある受信機（あるいは、異常信号が送信された受信機と同じグループに属する受信機）のうち、同じ地区の受信機のユーザに対して、異常信号が送信された受信機の設置場所で異常が発生したことを知らせることができ、状況に応じた住戸間連携を一層行うことができる。
【００１８】
また、請求項５に記載の送信機によれば、受信手段によって、異常信号が送信された受信機の設置場所で発生した異常の確認に向かう旨を示す信号が受信された場合に、異常報知情報生成手段は異常確認情報を生成し、送信手段はこの異常確認情報を含む信号を当該受信機に送信するので、異常信号が送信された受信機のユーザに対して、当該異常の確認に向かっていることを知らせることができ、住戸間連携を強化することができる。
【００１９】
また、請求項６に記載の送信機によれば、受信手段によって、異常信号が送信された受信機の設置場所で発生した異常が取消された旨を示す信号が受信された場合に、異常報知情報生成手段は異常取消し情報を生成し、送信手段はこの異常取消し情報を含む信号を当該他の受信機に送信するので、当該他の受信機のユーザに対して、異常信号が送信された受信機の設置場所で発生した異常が取消されたことを知らせることができ、住戸間連携を一層強化することができる。
【００２０】
また、請求項７に記載の受信機によれば、異常入力手段によって、異常が発生した旨の入力が受け付けられた場合に、異常信号送信手段は異常信号を送信機に送信するので、当該受信機から送信機への異常信号の送信を迅速に行うことができる。また、報知情報受信手段によって、送信機から異常報知情報を含む信号が受信された場合に、出力手段は当該異常報知情報を出力するので、当該受信機のユーザに対して、異常信号が送信された受信機の設置場所で異常が発生したことを確実に知らせることができる。以上のことから、住戸間連携の迅速性や確実性を向上させることができる。
【００２１】
また、請求項８に記載の告知放送システムによれば、異常信号が送信された受信機以外の他の受信機の報知情報受信手段によって、送信機から異常報知情報を含む信号が受信された場合に、当該他の受信機の出力手段は、当該異常報知情報を出力するので、当該他の受信機のユーザに対して、異常信号が送信された受信機の設置場所で異常が発生したことを迅速、且つ確実に知らせることができ、住戸間連携の迅速性や確実性を向上させることができる。
【図面の簡単な説明】
【００２２】
【図１】実施の形態１に係る告知放送システムの構成を示すブロック図である。
【図２】実施の形態１に係る個別アドレステーブルに格納される情報の内容を例示した表である。
【図３】受信機を示す図であり、（ａ）は正面図、（ｂ）は底面図である。
【図４】実施の形態１に係る送信機が実行する処理のフローチャートである。
【図５】実施の形態１に係る受信機が実行する処理のフローチャートである。
【図６】実施の形態２に係る告知放送システムの構成を示すブロック図である。
【図７】実施の形態２に係るグループアドレステーブルに格納される情報の内容を例示した表である。
【図８】実施の形態３に係る個別アドレステーブルに格納される情報の内容を例示した表である。
【図９】実施の形態４に係るグループアドレステーブルに格納される情報の内容を例示した表である。
【発明を実施するための形態】
【００２３】
以下に添付図面を参照して、この発明に係る送信機、受信機、及び告知放送システムの各実施の形態を詳細に説明する。最初に、これら送信機、及び受信機を備えて構成された告知放送システムの構成を説明し、次に、これら送信機、及び受信機の構成を説明し、次いで、これら送信機及び受信機が実行する処理について説明し、最後に本実施の形態に対する変形例について説明する。ただし、各実施の形態によって本発明が限定されるものではない。なお、各実施の形態に係る送信機の設置対象や適用対象は任意であるが、以下では、役場内に設置された送信機に適用した場合を例として説明を行う。また、各実施の形態に係る受信機の設置対象や適用対象は任意であるが、以下では、住戸内に設置された受信機に適用した場合を例として説明を行う。
【００２４】
〔実施の形態１〕
最初に、実施の形態１について説明する。この形態は、送信機が、異常信号が送信された受信機の個別アドレス情報と関連付けられた個別アドレス情報に対応する受信機に対して、異常報知情報を送信する形態である。
【００２５】
（構成）
最初に、実施の形態１に係る告知放送システムの構成を説明する。図１は、実施の形態１に係る告知放送システムの構成を示すブロック図である。図１に示すように、告知放送システム１は、センター側に配置された送信機２、各住戸に配置された受信機３、及び送信機２から送信された信号を受信機３に送信する伝送系統９を備えて構成されている。このうち、送信機２は、告知放送信号を受信機３に送信するものである。また、伝送系統９は、ヘッドエンド９０、このヘッドエンド９０から各住戸の受信機３に至る伝送線路９１、さらに、この伝送線路９１に配置された、アンプ９２、分配増幅器９３、分配器９４、及び保安器９５を備えて構成されている。ヘッドエンド９０は、送信機２から送信された信号を受信し、この信号をレベル増幅した上で伝送線路９１に送出する増幅送信手段である。伝送線路９１は、告知放送信号を送信する送信線路であり、例えば、ＣＡＴＶ信号を伝送するＣＡＴＶ伝送線路（同軸ケーブル）を備えて構成される。アンプ９２は、伝送線路９１を流れる信号を増幅する増幅手段である。分配増幅器９３は、信号を増幅した上で、各住戸に向けて分配する分配増幅手段である。分配器９４は、分配増幅器９３にて増幅された信号を各住戸に向けて分配する分配手段である。保安器９５は、各住戸に設けられ、伝送線路９１に乗って受信機３に至る直流成分を制御する。なお、特記する構成を除き、送信機２、受信機３、及び伝送系統９は、公知の装置又はシステムと同様に構成することができる。
【００２６】
（構成−送信機）
次に、送信機２の電気的構成について説明する。図１に示すように、送信機２は、通信部２０、操作部２１、出力部２２、マイク２３、ＢＧＭ源２４、制御部２５、及び記憶部２６を備えて構成されている。
【００２７】
通信部２０は、告知放送信号、後述する音声情報を含む信号等をヘッドエンド９０に送信する送信手段であると共に、各受信機３から後述する異常信号等を受信する受信手段である。
【００２８】
操作部２１は、当該送信機２に対する各種の操作を行うための操作手段であり、例えば、各種の図示しないスイッチを含んで構成されている。
【００２９】
出力部２２は、所要の情報を操作者に向けて出力する出力手段であり、例えば図示しないモニタ、表示灯、及びスピーカを含んで構成されている。
【００３０】
マイク２３は、告知放送用の音声を入力するための音声入力手段であり、例えば公知のマイクで構成されている。
【００３１】
ＢＧＭ源２４は、告知放送用の背景音楽の音源になる音源手段である。
【００３２】
制御部２５は、当該送信機２の各部を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（後述する制御部３８も同様とする）。
また、この制御部２５は、機能概念的に、異常報知情報生成部２５ａを備えている。異常報知情報生成部２５ａは、所定の受信機３の設置場所で異常が発生した旨を示す異常報知情報を生成する異常報知情報生成手段である。また、この異常報知情報生成部２５ａは、所定の受信機３の設置場所で発生した異常の確認に向かっている旨を示す異常確認情報を生成し、又は所定の受信機３の設置場所で発生した異常が取消された旨を示す異常取消し情報を生成する。ここで、制御部２５における異常報知情報、異常確認情報、又は異常取消し情報を含む信号の送信制御については、例えば、特定の受信機３が異常報知情報を含む信号が受信できるように、制御部２５は、この異常報知情報を含む信号に、後述する個別アドレステーブル２６ａに格納されている個別アドレス情報を付加したものを、通信部２０によって送信させる。なお、この制御部２５によって実行される処理の詳細については後述する。
【００３３】
記憶部２６は、当該送信機２の各種制御に必要な情報を記憶する記憶手段である。この記憶部２６は、書き換え可能な記録媒体を用いて構成され、例えば、ＲＡＭ（Ｒａｎｄｏｍ  Ａｃｃｅｓｓ  Ｍｅｍｏｒｙ）やフラッシュメモリ等の不揮発性記録媒体を備えて構成される（後述する記憶部３９、及び音声情報格納部４０についても同様）。
また、この記憶部２６は、個別アドレステーブル２６ａを備えている。この個別アドレステーブル２６ａは、受信機３を一意に識別するための個別アドレスを特定するための個別アドレス情報同士を、相互に関連付けて格納する個別アドレス情報格納手段である。この個別アドレステーブル２６ａは、相互に関連付けるべきグループの数に応じた数だけ生成され、例えば、このようなグループが複数存在する場合には、複数の個別アドレステーブル２６ａが記憶部２６に格納される（後述する図２には個別アドレステーブル２６ａを一つのみ示す）。
【００３４】
図２は、実施の形態１に係る個別アドレステーブル２６ａに格納される情報の内容を例示した表である。図２に示すように、この個別アドレステーブル２６ａには、テーブル項目「受信機名」に対応する情報と、「個別アドレス」に対応する情報とが、相互に関連付けて格納されている。また、このように同一の個別アドレステーブル２６ａに複数の「個別アドレス」に対応する情報を格納することで、これら複数の「個別アドレス」に対応する情報が相互に関連付けられる。項目「受信機名」に対応して格納される情報は、受信機３の名称を特定する受信機名情報であり、例えば「住戸Ａ」等が格納されている。項目「個別アドレス」に対応して格納される情報は、個別アドレス情報であり、例えば「１０００１」等が格納されている。なお、この個別アドレス情報としては、個別アドレス自体に限られず、個別アドレスを間接的に表すもの（例えば、個別アドレスを一意に識別するための個別アドレスＩＤ等）も含み得るが、ここでは個別アドレス自体を使用している場合について説明する。
【００３５】
（構成−受信機）
図１に戻り、受信機３の電気的構成について説明する。図１に示したように、受信機３は、通信部３０、音声切換え部３１、音量調整部３２、アンプ３３、スピーカ３４、移報端子３５、操作部３６、表示部３７、制御部３８、記憶部３９、及び音声情報格納部４０を備えている。なお、移報端子３５、及び操作部３６は、特許請求の範囲における「異常入力手段」に対応する。また、スピーカ３４、及び表示部３７は、特許請求の範囲における「出力手段」に対応する。
【００３６】
通信部３０は、送信機２から送信された告知放送信号を復調する告知放送復調手段である。また、この通信部３０は、告知放送信号に含まれる音声情報を音声切換え部３１に出力すると共に、告知放送信号に含まれる制御情報（例えば、告知放送が緊急放送又は一般放送の何れかを特定する情報等）を制御部３８に出力する。
また、この通信部３０は、報知情報受信部３０ａ、異常信号送信部３０ｂ、及び応答信号送信部３０ｃを備えている。報知情報受信部３０ａは、所定情報を含む信号を受信する報知情報受信手段である。異常信号送信部３０ｂは、受信機３の設置場所で異常が発生した旨を示す異常信号を伝送線路９１を介して送信機２に送信する異常信号送信手段である。応答信号送信部３０ｃは、異常信号に関する所定の応答を示す応答信号を伝送線路９１を介して送信機２に送信する応答信号送信手段である。ここで、この応答信号の具体的な種類としては、例えば、受信機３の設置場所で発生した異常が取消された旨を示す信号、又は、他の受信機３の設置場所で発生した異常の確認に向かう旨を示す信号が該当する。
【００３７】
音声切換え部３１は、通信部３０から出力された音声情報を音量調整部３２又は音声情報格納部４０に出力し、あるいは、音声情報格納部４０に格納された音声情報又は音声を音量調整部３２に出力する音声切換え手段である。
【００３８】
音量調整部３２は、音声切換え部３１から出力された音声情報又は音声の音量を調整する音量調整手段である。
【００３９】
アンプ３３は、音量調整部３２から出力された音声情報又は音声を増幅する増幅手段である。
【００４０】
スピーカ３４は、アンプ３３から出力された音声情報を出力する音声出力手段であり、例えば公知のスピーカで構成されている。
【００４１】
移報端子３５は、受信機３の設置場所に設置された図示しない外部機器からの移報入力を受け付ける移報入力手段である。具体的には、図示しない外部機器（例えば、火災感知器、ガス漏れ警報器又は人感センサ等）によって、異常発生が検知された場合に、この移報端子３５には、図示しない外部機器から、異常が発生している旨を示す移報信号が入力される。
【００４２】
操作部３６は、受信機３に対する各種の操作を行うための操作手段である。
【００４３】
表示部３７は、受信機３に関する情報を表示するための表示手段である。
【００４４】
制御部３８は、受信機３の各部を制御する制御手段である。ここで、この制御部３８における異常信号送信部３０ｂ、又は応答信号送信部３０ｃの制御においては、例えば、異常信号送信部３０ｂの異常信号の送信の際に、送信機２が送信元の受信機３を特定できるように、制御部３８は、この異常信号に、後述する記憶部３９に記憶されている個別アドレス情報を付加したものを、異常信号送信部３０ｂによって送信する。なお、この制御部３８によって実行される処理の詳細については後述する。
【００４５】
記憶部３９は、受信機３の各種制御に必要な情報を記憶する記憶手段である。この記憶部３９には、特に自己の個別アドレス情報（例えば、「１０００１」）が、受信機３の工場出荷前に予め任意の方法で記憶される（後述する実施の形態２、４のグループアドレス情報についても同様とする）。
【００４６】
音声情報格納部４０は、通信部３０が受信した告知放送信号に含まれる音声情報を格納する音声情報格納手段である。
【００４７】
続いて、受信機３の基本構成について説明する。図３は、受信機３を示す図であり、（ａ）は正面図、（ｂ）は底面図である。この図３（ａ）、（ｂ）に示すように、受信機３は、筐体４１の内部に図示しない各種の電子部品等を収容して構成されている。この筐体４１は、正面カバー４１ａと背面カバー４１ｂとを組み合わされて構成されている。正面カバー４１ａと背面カバー４１ｂの接続方法は任意であるが、例えば、正面カバー４１ａと背面カバー４１ｂは、嵌合やネジ留めにて接続することができる。
【００４８】
図３（ａ）に示すように、この筐体４１の正面には、操作部３６と、表示部３７と、音響孔４２が設けられている。
【００４９】
ここで、操作部３６としては、具体的には、告知再生スイッチ３６ａ、ＦＭ放送選択スイッチ３６ｂ、及びボリュームスイッチ３６ｃが設けられている。告知再生スイッチ３６ａは、録音された告知放送の再生を指示するための再生指示手段である。ＦＭ放送選択スイッチ３６ｂは、ＦＭ放送を選択するための放送選択手段である。ボリュームスイッチ３６ｃは、スピーカ３４から出力される音量の調節を指示するための音量調整指示手段である。
【００５０】
また、表示部３７としては、具体的には、電源表示灯３７ａ、緊急放送表示灯３７ｂ、一般放送表示灯３７ｃが設けられている。電源表示灯３７ａは、受信機３の電源ＯＮ時に点灯するものである。緊急放送表示灯３７ｂは、緊急放送時に点灯又は点滅するものである。また、一般放送表示灯３７ｃは、一般放送時に点灯又は点滅するものである。これら表示部３７の具体的な構成としては、例えば公知のＬＥＤ（Ｌｉｇｈｔ  Ｅｍｉｔｔｉｎｇ  Ｄｉｏｄｅ）で構成されている。
【００５１】
音響孔４２は、筐体４１の内部に設けたスピーカ３４から出力された音を、当該筐体４１の外部に放出するための貫通孔である。
【００５２】
（処理）
次に、このように構成された送信機２、及び受信機３が実行する処理について説明する。図４は、実施の形態１に係る送信機２が実行する処理のフローチャートである。図５は、実施の形態１に係る受信機３が実行する処理のフローチャートである（以下の各処理の説明ではステップを「Ｓ」と略記する）。これらの処理の実行タイミングは任意であり、例えば、送信機２及び受信機３の電源が投入された場合に起動される。
【００５３】
（処理−送信機の処理）
最初に、送信機２の処理について説明する。図４に示すように、制御部２５は、通信部２０によって、複数の受信機３の少なくとも一つの受信機３から異常信号が伝送線路９１を介して受信されたか否かを監視する（ＳＡ１）。
【００５４】
ここで、通信部２０によって、受信機３から異常信号が受信された場合（ＳＡ１、Ｙｅｓ）、異常信号が送信された受信機３以外の他の受信機３のユーザに対して、異常信号が送信された受信機３の設置場所で異常が発生したことを迅速、且つ確実に知らせるために、制御部２５はＳＡ２〜ＳＡ４の処理を行う（ここでは、図２に示す住戸Ａで異常が発生した場合を具体例に挙げて説明する）。
【００５５】
具体的には、異常報知情報生成部２５ａは、個別アドレステーブル２６ａを参照しながら、当該異常信号に付加された個別アドレス情報であって、当該異常信号が送信された受信機３の個別アドレス情報に基づいて、当該異常信号が送信された受信機３の設置場所で異常が発生した旨を報知するための異常報知情報を生成する（ＳＡ２）。ここで、異常報知情報の生成については、異常が発生している受信機３の設置場所が容易に特定できるように、異常報知情報が生成されることが好ましく、例えば、異常報知情報生成部２５ａは、個別アドレステーブル２６ａを参照しながら、当該異常信号に付加された個別アドレス情報に対応する受信機名情報に基づいて、当該異常信号が送信された受信機３の設置場所で異常が発生した旨を報知するための異常報知情報を生成する（後述するＳＡ７、ＳＡ９についても同様とする）。具体例では、住戸Ａに設置された受信機３から、当該住戸Ａで異常が発生した旨を示す異常信号を受信した場合に、当該異常信号に付加した個別アドレス情報に対応する受信機名情報（例えば、「住戸Ａ」）を、個別アドレステーブル２６ａから取得する。そして、この取得した受信機名情報に基づいて、住戸Ａで異常が発生した旨を報知するための異常報知情報（例えば、「ピー、ピー、ピー、住戸Ａで異常が発生しました。」等）を生成する。
【００５６】
次に、制御部２５は、個別アドレステーブル２６ａを参照しながら、ＳＡ１にて受信された異常信号に付加された個別アドレス情報に基づいて、当該異常信号が送信された受信機３と関連のある受信機３を特定する（ＳＡ３）。ここで、異常信号が送信された受信機３と関連のある受信機３の特定については、具体的には、実施の形態１では、制御部２５は、個別アドレステーブル２６ａに格納された個別アドレス情報のうち、異常信号が送信された受信機３の個別アドレス情報と相互に関連付けられた個別アドレス情報を特定することにより、当該関連のある受信機３を特定する。具体例では、異常信号が送信された受信機３が住戸Ａに設置された受信機３である場合に、住戸Ａに設置された受信機３の個別アドレス情報と相互に関連付けられた個別アドレス情報、すなわち、住戸Ｂ〜住戸Ｄに設置された受信機３の個別アドレス情報（例えば、住戸Ｂに設置された受信機＝「１０００２」、住戸Ｃに設置された受信機＝「１０００３」、住戸Ｄに設置された受信機＝「１０００４」）が特定される。これにより、住戸Ａに設置された受信機３と関連のある受信機３である、住戸Ｂ〜住戸Ｄに設置された受信機３が特定される。
【００５７】
次いで、制御部２５は、個別アドレステーブル２６ａを参照しながら、ＳＡ２にて生成された異常報知情報を含む信号に、ＳＡ３にて特定された受信機３の個別アドレスを付加したものを、伝送線路９１を介して通信部２０によって送信させる（ＳＡ４）。具体例では、住戸Ｂ〜住戸Ｄに設置された受信機３の個別アドレスを個別アドレステーブル２６ａから取得される。そして、上記住戸Ａで異常が発生した旨を報知するための異常報知情報を含む信号に、この取得された個別アドレスが付加されたものが、伝送線路９１を介して送信される。
【００５８】
ＳＡ４の処理の後、制御部２５は、ＳＡ４にて送信された異常報知情報を含む信号に関する応答信号を対象として、ＳＡ５〜ＳＡ１０の処理を行う（ここでは、図２に示す住戸Ａに設置された受信機３から、住戸Ａで発生した異常が取消された旨を示す信号が送信される場合、又は住戸Ｂ〜住戸Ｄに設置された受信機３から、住戸Ａで発生した異常の確認に向かう旨を示す信号が送信する場合を具体例に挙げて説明する）。
【００５９】
具体的には、制御部２５は、通信部２０によって、異常信号が送信した受信機３から当該受信機３の設置場所で発生した異常が取消された旨を示す信号が伝送線路９１を介して受信されたか否かを判定する（ＳＡ５）。具体例として、住戸Ａに設置された受信機３の操作部３６で所定の取消操作を行うことで、当該住戸Ａで発生した異常が取消された旨を示す信号が受信された場合には、この異常が取消された旨を示す信号が受信されたと判定される。一方、この異常が取消された旨を示す信号が受信されなかった場合には、この異常が取消された旨を示す信号が受信されなかったと判定する。
【００６０】
ここで、上記異常が取消された旨を示す信号が受信されていないと判定した場合（ＳＡ５、Ｎｏ）、制御部２５は、通信部２０によって、ＳＡ３にて特定した受信機３から、異常信号が送信した受信機３の設置場所で発生した異常の確認に向かう旨を示す信号が伝送線路９１を介して受信されたか否かを判定する（ＳＡ６）。具体例として、住戸Ｂ〜住戸Ｄに設置された受信機３の少なくとも一つの受信機３の操作部３６で所定の現場状況確認する旨の操作を行うことで、住戸Ａで発生した異常の確認に向かう旨を示す信号が受信された場合には、当該異常の確認に向かう旨を示す信号が受信されたと判定する。一方、この異常の確認に向かう旨を示す信号が受信されなかった場合には、当該異常の確認に向かう旨を示す信号が受信されなかったと判定する。
【００６１】
ここで、上記異常の確認に向かう旨を示す信号が受信されていないと判定した場合（ＳＡ６、Ｎｏ）、制御部２５は、ＳＡ５の処理に移行する。なお、異常信号を受信したときから所定時間経過してもＳＡ５の取消信号が受信されなかった場合は、制御部２５は、消防署等の外部機関へ自動的に通報を行う。
【００６２】
一方、上記異常の確認に向かう旨を示す信号が受信されたと判定した場合（ＳＡ６、Ｙｅｓ）、異常信号が送信された受信機３のユーザに対して、ＳＡ３にて特定された受信機３のユーザが異常の確認に向かっていることを知らせるために、制御部２５は、ＳＡ７、ＳＡ８の処理を行う。
【００６３】
具体的には、異常報知情報生成部２５ａは、個別アドレステーブル２６ａを参照しながら、上記異常の確認に向かう旨を示す信号に付加された個別アドレス情報であって、ＳＡ３にて特定された受信機３の個別アドレス情報に基づいて、異常信号が送信された受信機３の設置場所で発生した異常の確認に向かう旨を示す異常確認情報を生成する（ＳＡ７）。具体例として、住戸Ｂに設置された受信機３から、住戸Ａで発生した異常の確認に向かう旨を示す信号が受信された場合に、当該異常の確認に向かう旨を示す信号を付加した個別アドレス情報に対応する受信機名情報（例えば、「住戸Ｂ」）が、個別アドレステーブル２６ａから取得される。次いで、この取得された受信機名情報に基づいて、住戸Ａで発生した異常の確認に向かう旨を示す異常確認情報（例えば、「ピー、ピー、ピー、住戸Ｂのユーザが急行中です。」等）が生成される。
【００６４】
次いで、制御部２５は、個別アドレステーブル２６ａを参照しながら、ＳＡ７にて生成された異常確認情報を含む信号に、異常信号が送信された受信機３の個別アドレス情報を付加したものを、伝送線路９１を介して通信部２０によって送信させる（ＳＡ８）。具体例では、住戸Ａに設置された受信機３の個別アドレスが、個別アドレステーブル２６ａから取得される。そして、上記異常確認情報を含む信号に、この取得された個別アドレスが付加されたものが、伝送線路９１を介して送信される。
そして、ＳＡ８の処理後、制御部２５は、ＳＡ５の処理に移行する。
【００６５】
また、ＳＡ５の処理において、上記異常が取消された旨を示す信号が受信されたと判定した場合（ＳＡ５、Ｙｅｓ）、ＳＡ３にて特定された受信機３のユーザに対して、異常信号が送信された受信機３の設置場所で発生した異常が取消されたことを知らせるために、制御部２５は、ＳＡ９、ＳＡ１０の処理を行う。
【００６６】
具体的には、異常報知情報生成部２５ａは、個別アドレステーブル２６ａを参照しながら、上記異常が取消された旨を示す信号に付加された個別アドレス情報であって、当該異常信号が送信された受信機３の個別アドレス情報に基づいて、当該異常信号が送信された受信機３の設置場所で発生した異常が取消された旨を示す異常取消し情報を生成する（ＳＡ９）。具体的には、住戸Ａに設置された受信機３から、住戸Ａで発生した異常が取消された旨を示す信号が受信された場合に、当該異常が取消された旨を示す信号が付加された個別アドレス情報（すなわち、住戸Ａに設置された受信機３の個別アドレス情報）に対応する受信機名情報（例えば、「住戸Ａ」）が個別アドレステーブル２６ａから取得される。そして、この取得された受信機名情報に基づいて、住戸Ａで発生した異常が取消された旨を示す異常取消し情報（例えば、「ピー、ピー、ピー、住戸Ａで発生した異常が取消されました。」等）が生成される。
【００６７】
次いで、制御部２５は、個別アドレステーブル２６ａを参照しながら、ＳＡ９にて生成された異常取消し情報を含む信号に、ＳＡ３にて特定された受信機３の個別アドレス情報を付加したものを、伝送線路９１を介して通信部２０によって送信させる（ＳＡ１０）。具体例では、住戸Ｂ〜住戸Ｄに設置された受信機３の個別アドレスが、個別アドレステーブル２６ａから取得される。そして、上記異常取消し情報を含む信号に、この取得された個別アドレス情報が付加されたものが、伝送線路９１を介して送信される。
そして、ＳＡ１０の処理後、制御部２５は、ＳＡ１の処理に移行する。
【００６８】
（処理−受信機の処理）
次に、受信機３の処理について説明する（なお、以下では、図２に示す住戸Ａに設置された受信機３の処理を具体例に挙げて説明する）。図５に示すように、制御部３８は、移報端子３５又は操作部３６によって、当該受信機３の設置場所で異常が発生した旨の異常入力が受け付けられたか否かを判定する（ＳＢ１）。具体例では、住戸Ａに設置された受信機３において、図示しない外部機器から異常が発生した旨を示す移報信号が移報端子３５に入力された場合（あるいは、当該受信機３のユーザが操作部３６を介して所定操作（具体的には、告知再生スイッチ３６ａ、又はＦＭ放送選択スイッチ３６ｂを長押し等）を行った場合）、異常入力が受け付けられたと判定される。一方、この移報信号が移報端子３５に入力されなかった場合（あるいは、当該受信機３のユーザが操作部３６を介して所定操作を行わなかった場合）、異常入力が受け付けられなかったと判定する。
【００６９】
ここで、上記異常入力が受け付けられたと判定した場合（ＳＢ１、Ｙｅｓ）、当該受信機３の設置場所で発生した異常に対処するために、制御部３８は、ＳＢ２〜ＳＢ７の処理を行う（ここでは、図２に示す住戸Ａで異常が発生した場合を具体例に挙げて説明する）。なお、以下は異常入力が受け付けられたときの信号の送信について記載するが、移報端子３５から移報信号を受信したときの受信機３は、自住戸の異常発生を緊急放送と同様の最大音量で音声警報を行う。また、放送した緊急放送は音声情報格納部４０に記録し、操作部３６の操作により後で再生することができる。
【００７０】
具体的には、制御部３８は、異常信号送信部３０ｂによって、当該受信機３の設置場所で異常が発生した旨を示す異常信号に、記憶部３９に記憶された個別アドレス情報を付加したものを、伝送線路９１を介して送信機２に送信させる（ＳＢ２）。具体例では、住戸Ａに設置された受信機３において、当該住戸Ａで異常が発生した旨の異常入力が受け付けられた場合に、当該住戸Ａで異常が発生した旨を示す異常信号に、当該受信機３の個別アドレス情報（例えば、「１０００１」）が付加されたものが、伝送線路９１を介して送信機２に送信される。
【００７１】
次に、制御部３８は、操作部３６によって、当該受信機３の設置場所で発生した異常が取消された旨を示す信号の送信に関する入力が受け付けられたか否かを判定する（ＳＢ３）。具体例では、住戸Ａに設置された受信機３において、当該住戸Ａで発生した異常が取消されたことで、当該受信機３のユーザ（あるいは、後述する当該住戸Ａで発生した異常の確認に向かった住戸Ｂ〜住戸Ｄに設置された受信機３のユーザ等）が操作部３６を介して所定操作（具体的には、告知再生スイッチ３６ａ、又はＦＭ放送選択スイッチ３６ｂを同時に長押し等）を行った場合に、当該住戸Ａで発生した異常が取消された旨を示す信号の送信に関する入力が受け付けられたと判定する。一方、当該受信機３のユーザが操作部３６を介して所定操作を行わなかった場合に、この異常が取消された旨を示す信号の送信に関する入力が受け付けられなかったと判定する。
【００７２】
ここで、当該受信機３の設置場所で発生した異常が取消された旨を示す信号の送信に関する入力が受け付けられなかったと判定した場合（ＳＢ３、Ｎｏ）、制御部３８は、報知情報受信部３０ａによって、当該受信機３の設置場所で発生した異常の確認に向かっている旨を示す異常確認情報を含む信号が送信機２から受信されたか否かを判定する（ＳＢ４）。具体例では、住戸Ａに設置された受信機３において、住戸Ｂ〜住戸Ｄに設置された受信機３のユーザが当該住戸Ａで発生した異常の確認に向かっている旨を示す異常確認情報を含む信号が受信された場合に、この異常確認情報を含む信号が受信されたと判定する。一方、この異常確認情報を含む信号が受信されなかった場合には、この異常確認情報を含む信号が受信されなかったと判定する。
【００７３】
ここで、上記異常確認情報を含む信号が、送信機２から受信されたと判定した場合（ＳＢ４、Ｙｅｓ）、制御部３８は、上記異常確認情報を含む信号に付加された個別アドレス情報が記憶部３９に格納された個別アドレス情報に合致するか否かを判定する（ＳＢ５）。
【００７４】
ここで、上記異常確認情報を含む信号が、送信機２から受信されなかったと判定した場合（ＳＢ４、Ｎｏ）、又は、上記異常確認情報を含む信号に付加された個別アドレス情報が記憶部３９に格納された個別アドレス情報に合致しないと判定された場合（ＳＢ５、Ｎｏ）、制御部３８は、ＳＢ３の処理に移行する。
【００７５】
一方、上記異常確認情報を含む信号に付加された個別アドレス情報が記憶部３９に格納された個別アドレス情報に合致すると判定した場合（ＳＢ５、Ｙｅｓ）、当該受信機３のユーザに対して、当該受信機３の設置場所で発生した異常の確認に向かっていることを知らせるために、制御部３８は、スピーカ３４又は表示部３７によって、ＳＢ４にて受信した信号に含まれる異常確認情報を出力させる（ＳＢ６）。具体例では、住戸Ａに設置された受信機３において、住戸Ｂに設置された受信機３から当該住戸Ａで発生した異常の確認に向かう旨を示す異常確認情報が、スピーカ３４によって音声出力される。あるいは、この異常確認情報が、表示部３７によって表示（例えば、緊急放送表示灯３７ｂ、及び一般放送表示灯３７ｃを交互に点灯等）されてもよい（後述するＳＢ１０、ＳＢ１５についても同様）。
そして、ＳＢ６の処理後、制御部３８は、ＳＢ３の処理に移行する。
【００７６】
また、ＳＢ３の処理において、当該受信機３の設置場所で発生した異常が取消された旨を示す信号の送信に関する入力が受け付けられたと判定した場合（ＳＢ３、Ｙｅｓ）、当該受信機３以外の他の受信機３のユーザに対して、当該受信機３の設置場所で発生した異常が取消されたことを知らせるために、制御部３８は、応答信号送信部３０ｃによって、当該異常が取消された旨を示す信号に、記憶部３９に記憶された個別アドレス情報を付加したものを、伝送線路９１を介して送信機２に送信させる（ＳＢ７）。具体例では、住戸Ａに設置された受信機３において、当該住戸Ａで発生した異常が取消された旨を示す信号に、当該受信機３の個別アドレス情報が付加されたものが、伝送線路９１を介して送信される。
そして、ＳＢ７の処理の後、制御部３８は、ＳＢ１の処理に移行する。
【００７７】
また、ＳＢ１の処理において、上記異常入力が受け付けられなかったと判定した場合（ＳＢ１、Ｎｏ）、当該受信機３以外の他の受信機３の設置場所で発生した異常に対処するために、制御部３８は、ＳＢ８〜ＳＢ１５の処理を行う（ここでは、図２に示す住戸Ｃで異常が発生した場合を具体例に挙げて説明する）。
【００７８】
具体的には、制御部３８は、報知情報受信部３０ａによって、当該受信機３以外の他の受信機３の設置場所で異常が発生している旨を報知するための異常報知情報を含む信号が送信機２から受信されたか否かを判定する（ＳＢ８）。具体例では、住戸Ａに設置された受信機３において、住戸Ｃで異常が発生している旨を示す異常報知情報を含む信号が受信された場合に、この異常報知情報を含む信号が受信されたと判定する。一方、この異常報知情報を含む信号が受信されなかった場合には、この異常報知情報を含む信号が受信されなかったと判定する。
【００７９】
ここで、上記異常報知情報を含む信号が、送信機２から受信されたと判定した場合（ＳＢ８、Ｙｅｓ）、制御部３８は、上記異常報知情報を含む信号に付加された個別アドレス情報が記憶部３９に格納された個別アドレス情報に合致するか否かを判定する（ＳＢ９）。
【００８０】
ここで、上記異常報知情報を含む信号が、送信機２から受信されなかったと判定した場合（ＳＢ８、Ｎｏ）、又は、上記異常報知情報を含む信号に付加された個別アドレス情報が記憶部３９に格納された個別アドレス情報に合致しないと判定した場合（ＳＢ９、Ｎｏ）、制御部３８は、ＳＢ１の処理に移行する。
【００８１】
一方、上記異常報知情報を含む信号に付加された個別アドレス情報が記憶部３９に格納された個別アドレス情報に合致すると判定した場合（ＳＢ９、Ｙｅｓ）、当該受信機３のユーザに対して、当該受信機３以外の他の受信機３の設置場所で異常が発生したことを知らせるために、制御部３８は、スピーカ３４又は表示部３７によって、ＳＢ８にて受信した信号に含まれる異常報知情報を出力させる（ＳＢ１０）。具体例では、住戸Ａに設置された受信機３において、住戸Ｃで異常が発生した旨を報知するための異常報知情報を含む信号を受信した場合に、この異常報知情報が、スピーカ３４によって音声出力される。このときは緊急放送として最大音量で放送を行う。また、音声情報格納部４０で録音し、後で再生して内容を確認することができる。
【００８２】
次に、制御部３８は、報知情報受信部３０ａによって、当該受信機３以外の他の受信機３の設置場所で発生した異常が取消された旨を示す異常取消し情報を含む信号が送信機２から受信されたか否かを判定する（ＳＢ１１）。具体例では、住戸Ａに設置された受信機３において、住戸Ｃで発生した異常が取消された旨を示す異常取消し情報を含む信号が受信された場合に、この異常取消し情報を含む信号が受信されたと判定する。一方、この異常取消し情報を含む信号が受信されなかった場合には、この異常取消し情報を含む信号が受信されなかったと判定する。
【００８３】
ここで、上記異常取消し情報を含む信号が送信機２から受信されたと判定した場合（ＳＢ１１、Ｙｅｓ）、制御部３８は、上記異常取消し情報を含む信号に付加された個別アドレス情報が記憶部３９に格納された個別アドレス情報に合致するか否かを判定する（ＳＢ１２）。
【００８４】
ここで、上記異常取消し情報を含む信号が送信機２から受信されなかったと判定した場合（ＳＢ１１、Ｎｏ）、又は、上記異常取消し情報を含む信号に付加された個別アドレス情報が記憶部３９に格納された個別アドレス情報に合致しないと判定した場合（ＳＢ１２、Ｎｏ）、制御部３８は、操作部３６によって、当該受信機３以外の他の受信機３の設置場所で発生した異常の確認に向かう旨を示す信号の送信に関する入力が受け付けられたか否かを判定する（ＳＢ１３）。具体例では、住戸Ａに設置された受信機３において、住戸Ｃで異常が発生している旨を示す異常報知情報を含む信号が受信された後、当該受信機３のユーザが操作部３６を介して所定操作（具体的には、告知再生スイッチ３６ａ、又はＦＭ放送選択スイッチ３６ｂを２回同時押し等）を行った場合に、住宅Ｃで発生した異常の確認に向かう旨を示す信号の送信に関する入力が受け付けられたと判定する。一方、当該受信機３のユーザが操作部３６を介して所定操作を行わなかった場合に、住宅Ｃで発生した異常の確認に向かう旨を示す信号の送信に関する入力が受け付けられなかったと判定する。
【００８５】
ここで、上記異常の確認に向かう旨を示す信号の送信に関する入力が受け付けられなかったと判定された場合（ＳＢ１３、Ｎｏ）、制御部３８は、ＳＢ１１の処理に移行する。
【００８６】
一方、上記異常の確認に向かう旨を示す信号の送信に関する入力が受け付けられたと判定された場合（ＳＢ１３、Ｙｅｓ）、当該受信機３以外の他の受信機３のユーザであって、異常が発生している受信機３のユーザに対して、当該異常の確認に向かっていることを知らせるために、制御部３８は、応答信号送信部３０ｃによって、当該異常の確認に向かう旨を示す信号に、記憶部３９に記憶された個別アドレス情報を付加したものを、伝送線路９１を介して送信機２に送信させる（ＳＢ１４）。具体例では、住戸Ａに設置された受信機３において、住戸Ｃで発生した異常の確認に向かう旨を示す信号の送信に関する入力が受け付けられた場合に、当該住戸Ｃで発生した異常の確認に向かう旨を示す信号に、当該受信機３の個別アドレス情報が付加されたものが、伝送線路９１を介して送信される。
そして、ＳＢ１４の処理の後、制御部３８は、ＳＢ１１の処理に移行する。
なお、ＳＢ１４で異常の確認に向かう旨の信号を送信した受信機３においては、現場確認の後に、異常が誤報であった場合に操作部３６を取消操作することで、異常発生住戸以外の住戸の受信機３にて取消信号を送信機２側へ送信することができる。
【００８７】
また、ＳＢ１２の処理において、当該受信した信号に付加された個別アドレス情報が記憶部３９に格納された個別アドレス情報に合致したと判定した場合（ＳＢ１２、Ｙｅｓ）、当該受信機３のユーザに対して、当該受信機３以外の他の受信機３の設置場所で発生した異常が取消されたことを知らせるために、制御部３８は、スピーカ３４又は表示部３７によって、ＳＢ１１にて受信された信号に含まれる異常取消し情報を出力させる（ＳＢ１５）。具体例では、住戸Ａに設置された受信機３において、住戸Ｃで発生した異常が取消された旨を示す異常報知情報を含む信号が受信された場合に、住戸Ｃで発生した異常が取消された旨を示す異常報知情報が、スピーカ３４によって音声出力される。この放送は音声情報格納部４０にて録音され、再生して内容を確認することができる。
そして、ＳＢ１５の処理の後、制御部３８は、ＳＢ１の処理に移行する。
【００８８】
（実施の形態１の効果）
このように実施の形態１によれば、通信部２０によって、複数の受信機３の少なくとも一つの受信機３から異常信号が受信された場合に、異常報知情報生成部２５ａは、当該異常信号が送信された受信機３の設置場所で異常が発生した旨を報知するための異常報知情報を生成し、通信部２０は、この異常報知情報生成部２５ａにて生成された異常報知情報を、異常信号が送信された受信機３以外の他の受信機３に出力するために、当該異常報知情報を含む信号を当該他の受信機３に送信するので、異常信号が送信された受信機３以外の他の受信機３のユーザに対して、異常信号が送信された受信機３の設置場所で異常が発生したことを迅速、且つ確実に知らせることができ、住戸間連携の迅速性や確実性を向上させることができる。
【００８９】
また、制御部２５は、通信部２０によって、複数の受信機３の少なくとも一つの受信機３から個別アドレス情報が付加された異常信号が受信された場合に、当該付加された個別アドレス情報と関連付けられた個別アドレス情報を個別アドレステーブル２６ａから特定し、当該特定した個別アドレス情報に基づいて、異常報知情報を含む信号を通信部２０によって送信させるので、異常信号が送信された受信機３と関連のある受信機３のユーザに対して、異常信号が送信された受信機３の設置場所で異常が発生したことを知らせることができ、状況に応じた住戸間連携を行うことができる。
【００９０】
また、通信部２０によって、異常信号が送信された受信機３の設置場所で発生した異常の確認に向かう旨を示す信号が受信された場合に、異常報知情報生成部２５ａは、異常信号が送信された受信機３の設置場所で発生した異常の確認に向かっている旨を示す異常確認情報を生成し、通信部２０は、異常報知情報生成部２５ａにて生成された異常確認情報を、異常信号が送信された受信機３に出力させるために、当該異常確認情報を含む信号を当該受信機３に送信するので、異常信号が送信された受信機３のユーザに対して、当該異常の確認に向かっていることを知らせることができ、住戸間連携を強化することができる。
【００９１】
また、通信部２０によって、異常信号が送信された受信機３の設置場所で発生した異常が取消された旨を示す信号が受信された場合に、異常報知情報生成部２５ａは、当該異常が取消された旨を示す異常取消し情報を生成し、通信部２０は、異常報知情報生成部２５ａにて生成された異常取消し情報を、異常信号が送信された受信機３以外の他の受信機３に出力させるために、当該異常取消し情報を含む信号を当該他の受信機３に送信するので、当該他の受信機３のユーザに対して、異常信号が送信された受信機３の設置場所で発生した異常が取消されたことを知らせることができ、住戸間連携を一層強化することができる。
【００９２】
また、異常入力手段によって、異常が発生した旨の入力が受け付けられた場合に、異常信号送信部３０ｂは、当該受信機３の設置場所で異常が発生した旨を示す異常信号を送信機２に送信するので、受信機３から送信機２への異常信号の送信を迅速に行うことができる。また、報知情報受信部３０ａによって、送信機２から異常報知情報を含む信号が受信された場合に、出力手段は当該異常報知情報を出力するので、受信機３のユーザに対して、異常信号が送信された受信機３の設置場所で異常が発生したことを確実に知らせることができる。以上のことから、住戸間連携の迅速性や確実性を向上させることができる。
【００９３】
〔実施の形態２〕
次に、実施の形態２について説明する。この形態は、送信機が、異常信号が送信された受信機と同じグループに属する受信機に対して、異常報知情報を送信する形態である。なお、特に説明なき構造については、実施の形態１の構造と同様であり、実施の形態１と略同様の構成要素、及び処理については、必要に応じて、実施の形態１で用いたのと同一の符号又は名称を付してその説明を省略する。
【００９４】
（構成−送信機）
次に、送信機２の電気的構成について説明する。図６は、実施の形態２に係る告知放送システム１の構成を示すブロック図である。図６に示すように、実施の形態２に係る送信機２は、実施の形態１の送信機２の構成要素に対して、記憶部２６にグループアドレステーブル２６ｂを加えて、個別アドレステーブル２６ａを省略して構成されている。ここで、グループアドレステーブル２６ｂは、受信機３が属するグループを一意に識別するためのグループアドレスを特定するためのグループアドレス情報と、個別アドレス情報とを、相互に関連付けて格納するグループアドレス情報格納手段である。
【００９５】
図７は、実施の形態２に係るグループアドレステーブル２６ｂに格納される情報の内容を例示した表である。図７に示すように、グループアドレステーブル２６ｂには、テーブル項目「グループ名」、「グループアドレス」、「受信機名」、及び「個別アドレス」に対応する情報が相互に関連付けて格納されている。項目「グループ名」に対応して格納される情報は、受信機３が属するグループの名称を特定するグループ名情報であり、例えば「防災ネットワーク」等が格納されている。項目「グループアドレス」に対応して格納される情報は、受信機３が属するグループを一意に識別するためのグループアドレスを特定するためのグループアドレス情報であり、例えば「１００１」等が格納されている。また、項目「受信機名」、及び「個別アドレス」に対応する情報は、図２に示された個別アドレステーブル２６ａにおける同一項目に対応する情報と同様であるため、その説明を省略する。
【００９６】
（構成−受信機）
図６に戻り、受信機３の電気的構成について説明する。図６に示すように、実施の形態２に係る受信機３は、実施の形態１の受信機３の構成要素に対して、記憶部３９に自己のグループアドレス情報（例えば、「１００１」等）を加えて構成されている。
【００９７】
（処理）
次に、このように構成された送信機２、及び受信機３が実行する処理について説明する。なお、実施の形態２に係る送信機２の処理は、図４のＳＡ３の処理の内容を除いて実施の形態１の送信機２の処理と同じであるため、フローチャートの図示及び説明を省略する。また、実施の形態２に係る受信機３の処理は、図５のＳＢ２の処理の内容を除いて実施の形態１の受信機３の処理と同じであるため、フローチャートの図示及び説明を省略する。
【００９８】
（処理−送信機の処理）
図４のＳＡ２の処理後、制御部２５は、グループアドレステーブル２６ｂを参照しながら、ＳＡ１にて受信された異常信号に付加されたグループアドレス情報、及び個別アドレス情報に基づいて、当該異常信号が送信された受信機３と関連のある受信機３を特定する（ＳＡ３）。ここで、異常信号が送信された受信機３と関連のある受信機３の特定については、具体的には、実施の形態２では、制御部２５は、グループアドレステーブル２６ｂに格納された個別アドレス情報のうち、異常信号に付加されたグループアドレス情報に対応する個別アドレス情報（ただし、異常信号が送信された受信機の個別アドレス情報を除く）を特定することにより、当該関連のある受信機３を特定する。具体例では、異常信号が送信された受信機３が住戸Ａに設置された受信機３である場合に、グループアドレステーブル２６ｂに格納された個別アドレス情報のうち、住戸Ａに設置された受信機３が属するグループのグループアドレス情報（例えば、防災ネットワーク＝「１００１」）と対応する個別アドレス情報、すなわち、住戸Ｂ〜住戸Ｄに設置された受信機３の個別アドレス情報（例えば、住戸Ｂに設置された受信機＝「１０００２」、住戸Ｃに設置された受信機＝「１０００３」、住戸Ｄに設置された受信機＝「１０００４」）が特定される。これにより、住戸Ａに設置された受信機３と関連のある受信機３である、住戸Ｂ〜住戸Ｄに設置された受信機３が特定される。この結果、送信機２は、異常報知情報を含む信号を、異常信号が送信された受信機３と同じグループに属する受信機３に送信することができる。
【００９９】
（処理−受信機の処理）
図５のＳＢ１の処理において、移報端子３５又は操作部３６によって、当該受信機３の設置場所で異常が発生した旨の異常入力を受け付けられたと判定された場合（ＳＢ１、Ｙｅｓ）、制御部３８は、異常信号送信部３０ｂによって、当該受信機３の設置場所で異常が発生した旨を示す異常信号に、記憶部３９に記憶されたグループアドレス情報、及び個別アドレス情報を付加したものを、伝送線路９１を介して送信機２に送信させる（ＳＢ２）。具体例では、住戸Ａに設置された受信機３において、当該住戸Ａで異常が発生した旨の異常入力が受け付けられた場合に、当該住戸Ａで異常が発生した旨を示す異常信号に、当該受信機３が属するグループのグループアドレス情報（例えば、「１００１」）、及び当該受信機３の個別アドレス情報（例えば、「１０００１」）が付加されたものが、伝送線路９１を介して送信機２に送信される。この結果、送信機２は、この異常信号に付加されたグループアドレス情報及び個別アドレス情報に基づいて、当該受信機３と同じグループに属する受信機３を特定することができる。
【０１００】
（実施の形態２の効果）
このように実施の形態２によれば、制御部２５は、通信部２０によって、複数の受信機３の少なくとも一つの受信機３からグループアドレス情報が付加された異常信号が受信された場合に、当該付加されたグループアドレス情報に対応する個別アドレス情報をグループアドレステーブル２６ｂから特定し、当該特定した個別アドレス情報に基づいて、異常報知情報を含む信号を通信部２０によって送信させるので、異常信号が送信された受信機３と同じグループに属する受信機３のユーザに対して、異常信号が送信された受信機３の設置場所で異常が発生したことを知らせることができ、状況に応じた住戸間連携を行うことができる。
【０１０１】
〔実施の形態３〕
次に、実施の形態３について説明する。この形態は、送信機が、異常信号が送信された受信機の個別アドレス情報と関連付けられた個別アドレス情報に対応する受信機のうち、当該受信機と所定の位置関係にある受信機に対して、異常報知情報を送信する形態である。なお、特に説明なき構造については、実施の形態１の構造と同様であり、実施の形態１と略同様の構成要素、及び処理については、必要に応じて、実施の形態１で用いたのと同一の符号又は名称を付してその説明を省略する。
【０１０２】
（構成−送信機）
次に、送信機２の電気的構成について説明する。この実施の形態３に係る送信機２は、図１に示した実施の形態１の送信機２とほぼ同様に構成されているが、記憶部２６に記憶されている個別アドレステーブル２６ａの記憶内容が異なる。
【０１０３】
図８は、実施の形態３に係る個別アドレステーブル２６ａに格納される情報の内容を例示した表である。図８に示すように、個別アドレステーブル２６ａには、テーブル項目「受信機名」、「個別アドレス」、及び「位置関係」に対応する情報が相互に関連付けて格納されている。項目「受信機名」、及び「個別アドレス」に対応する情報は、図２に示された個別アドレステーブル２６ａにおける同一項目に対応する情報と同様であるため、その説明を省略する。項目「位置関係」に対応して格納される情報は、受信機３の位置関係を特定するための位置関係情報であり、例えば、受信機３が設置されている設置場所の地域名（例えば、「Ａ地区」等）等が格納されている。なお、この個別アドレステーブル２６ａは、特許請求の範囲における「位置関係情報格納手段」に対応するものである。
【０１０４】
（構成−受信機）
図１に戻り、受信機３の電気的構成について説明する。実施の形態３に係る受信機３は、図１に示した実施の形態１の受信機３とほぼ同様に構成されているので、その説明を省略する。
【０１０５】
（処理）
次に、このように構成された送信機２、及び受信機３が実行する処理について説明する。なお、実施の形態３に係る送信機２の処理は、図４のＳＡ３の処理の内容を除いて実施の形態１の送信機２の処理と同じであるため、フローチャートの図示及び説明を省略する。また、実施の形態３に係る受信機３の処理は、図５に示す実施の形態１の受信機３の処理と同じであるため、フローチャートの図示及び説明を省略する。
【０１０６】
（処理−送信機の処理）
図４のＳＡ２の処理後、制御部２５は、個別アドレステーブル２６ａを参照しながら、ＳＡ１にて受信された異常信号に付加された個別アドレス情報に基づいて、当該異常信号が送信された受信機３と関連のある受信機３を特定する（ＳＡ３）。ここで、異常信号が送信された受信機３と関連のある受信機３の特定については、具体的には、実施の形態３では、まず、制御部２５は、個別アドレステーブル２６ａに格納された個別アドレス情報のうち、異常信号が送信された受信機３の個別アドレス情報と相互に関連付けられた個別アドレス情報を特定する。次いで、制御部２５は、当該特定した個別アドレス情報に基づいて、位置関係情報を個別アドレステーブル２６ａから取得する。そして、制御部２５は、当該取得した位置関係情報に基づいて、異常信号が送信された受信機３と同じ位置関係にある受信機３の個別アドレス情報を個別アドレステーブル２６ａから特定することにより、当該関連のある受信機３を特定する。具体例では、異常信号が送信された受信機３が住戸Ａに設置された受信機３である場合に、住戸Ａに設置された受信機３の個別アドレス情報と相互に関連付けられた個別アドレス情報である、住戸Ｂ〜住戸Ｄに設置された受信機３の個別アドレス情報が特定される。次いで、この特定された個別アドレス情報に基づいて、住戸Ｂ〜住戸Ｄに設置された受信機３の位置関係情報（例えば、住戸Ｂに設置された受信機＝「Ａ地区」、住戸Ｃに設置された受信機＝「Ａ地区」、住戸Ｄに設置された受信機＝「Ｂ地区」）が取得される。そして、この取得された位置関係情報に基づいて、住戸Ａに設置された受信機３と同じ位置関係（例えば、「Ａ地区」）にある受信機３の個別アドレス情報（例えば、住戸Ｂに設置された受信機＝「１０００２」、住戸Ｃに設置された受信機＝「１０００３」）が特定される。これにより、住戸Ａに設置された受信機３と関連のある受信機３である、住戸Ｂ、住戸Ｃに設置された受信機３が特定される。この結果、送信機２は、異常報知情報を含む信号を、異常信号が送信された受信機３の個別アドレス情報と相互に関連付けられた個別アドレス情報の受信機３であって、同じ位置関係にある受信機３に送信することができる。
【０１０７】
（実施の形態３の効果）
このように実施の形態３によれば、制御部２５は、通信部２０によって、複数の受信機３の少なくとも一つの受信機３から異常信号が受信された場合に、個別アドレステーブル２６ａに格納された位置関係情報を参照して、異常信号が送信された受信機３と所定の位置関係にある受信機３の個別アドレス情報を特定し、当該特定した個別アドレス情報に基づいて、異常報知情報を含む信号を通信部２０によって送信させるので、例えば、異常信号が送信された受信機３の個別アドレス情報と関連付けられた個別アドレス情報の受信機であって、同じ位置関係にある受信機３のユーザに対して、異常信号が送信された受信機３の設置場所で異常が発生したことを知らせることができ、状況に応じた住戸間連携を一層行うことができる。
【０１０８】
〔実施の形態４〕
次に、実施の形態４について説明する。この形態は、送信機が、異常信号が送信された受信機と同じグループに属する受信機のうち、当該受信機と所定の位置関係にある受信機に対して、異常報知情報を送信する形態である。なお、特に説明なき構造については、実施の形態２の構造と同様であり、実施の形態２と略同様の構成要素、及び処理については、必要に応じて、実施の形態２で用いたのと同一の符号又は名称を付してその説明を省略する。
【０１０９】
（構成−送信機）
次に、送信機２の電気的構成について説明する。この実施の形態４に係る送信機２は、図６に示した実施の形態２の送信機２とほぼ同様に構成されているが、記憶部２６に記憶されているグループアドレステーブル２６ｂの記憶内容が異なる。
【０１１０】
図９は、実施の形態４に係るグループアドレステーブル２６ｂに格納される情報の内容を例示した表である。図９に示すように、グループアドレステーブル２６ｂには、テーブル項目「グループ名」、「グループアドレス」、「受信機名」、「個別アドレス」、及び「位置関係」に対応する情報が相互に関連付けて格納されている。項目「グループ名」、「グループアドレス」、「受信機名」、及び「個別アドレス」に対応する情報は、図７に示されたグループアドレステーブル２６ｂにおける同一項目に対応する情報と同様であるため、その説明を省略する。また、項目「位置関係」に対応して格納される情報は、図８に示された個別アドレステーブル２６ａにおける同一項目に対応する情報と同様であるため、その説明を省略する。なお、このグループアドレステーブル２６ｂは、特許請求の範囲における「位置関係情報格納手段」に対応するものである。
【０１１１】
（構成−受信機）
図６に戻り、受信機３の電気的構成について説明する。実施の形態４に係る受信機３は、図６に示した実施の形態２の受信機３とほぼ同様に構成されているので、その説明を省略する。
【０１１２】
（処理）
次に、このように構成された送信機２、及び受信機３が実行する処理について説明する。なお、実施の形態４に係る送信機２の処理は、図４のＳＡ３の処理の内容を除いて実施の形態２の送信機２の処理と同じであるため、フローチャートの図示及び説明を省略する。また、実施の形態４に係る受信機３の処理は、実施の形態２の受信機３の処理と同じであるため、フローチャートの図示及び説明を省略する。
【０１１３】
（処理−送信機の処理）
図４のＳＡ２の処理後、制御部２５は、グループアドレステーブル２６ｂを参照しながら、ＳＡ１にて受信された異常信号に付加されたグループアドレス情報、及び個別アドレス情報に基づいて、当該異常信号が送信された受信機３と関連のある受信機３を特定する（ＳＡ３）。ここで、異常信号が送信された受信機３と関連のある受信機３の特定については、具体的には、実施の形態４では、まず、制御部２５は、グループアドレステーブル２６ｂに格納された個別アドレス情報のうち、異常信号に付加されたグループアドレス情報に対応する個別アドレス情報（ただし、異常信号が送信された受信機の個別アドレス情報を除く）を特定する。次いで、制御部２５は、当該特定した個別アドレス情報に基づいて、位置関係情報をグループアドレステーブル２６ｂから取得する。そして、制御部２５は、当該取得した位置関係情報に基づいて、異常信号が送信された受信機３と同じ位置関係にある受信機３の個別アドレス情報をグループアドレステーブル２６ｂから特定することにより、当該関連のある受信機３を特定する。具体例では、異常信号が送信された受信機３が住戸Ａに設置された受信機３である場合に、グループアドレステーブル２６ｂに格納された個別アドレス情報のうち、住戸Ａに設置された受信機３が属するグループのグループアドレス情報（例えば、親族＝「１００２」）と対応する個別アドレス情報、すなわち、住戸Ｅ、住戸Ｆに設置された受信機３の個別アドレス情報（例えば、住戸Ｅに設置された受信機＝「１０００５」、住戸Ｆに設置された受信機＝「１０００６」）が特定される。次いで、この特定された個別アドレス情報に基づいて、住戸Ｅ、住戸Ｆに設置された受信機３の位置関係情報（例えば、住戸Ｅに設置された受信機＝「Ａ地区」、住戸Ｆに設置された受信機＝「Ｂ地区」）が取得される。そして、この取得された位置関係情報のうち、住戸Ａに設置された受信機３と同じ位置関係（例えば、「Ａ地区」）の受信機３である、住戸Ｅに設置された受信機３の個別アドレス情報（例えば、住戸Ｅに設置された受信機＝「１０００５」）が特定される。これにより、住戸Ａに設置された受信機３と関連のある受信機３である、住戸Ｅに設置された受信機３が特定される。この結果、送信機２は、異常報知情報を含む信号を、異常信号が送信された受信機３と同じグループに属する受信機３であって、同じ位置関係にある受信機３に送信することができる。
【０１１４】
（実施の形態４の効果）
このように実施の形態４によれば、制御部２５は、通信部２０によって、複数の受信機３の少なくとも一つの受信機３から異常信号が受信された場合に、グループアドレステーブル２６ｂに格納された位置関係情報を参照して、異常信号が送信された受信機３と所定の位置関係にある受信機３の個別アドレス情報を特定し、当該特定した個別アドレス情報に基づいて、異常報知情報を含む信号を通信部２０によって送信させるので、例えば、異常信号が送信された受信機３と同じグループに属する受信機３のうち、同じ位置関係にある受信機３のユーザに対して、異常信号が送信された受信機３の設置場所で異常が発生したことを知らせることができ、状況に応じた住戸間連携を一層行うことができる。
【０１１５】
〔実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【０１１６】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、異常報知情報を含む信号を、異常信号が送信された受信機３以外の他の受信機３に正確に送信できない場合であっても、この異常報知情報を含む信号の送信を従来とは異なる技術により達成できている場合には、本願発明の課題が解決されている。
【０１１７】
（送信機の処理について）
上記実施の形態１〜４では、異常報知情報を含む信号の送信に関する処理、異常取消し情報を含む信号の送信に関する処理、及び異常確認情報を含む信号の送信に関する処理を行うと説明したが、これに限られない。例えば、異常報知情報を含む信号を送信する処理のみを行う場合には、ＳＡ５〜ＳＡ１０の処理を省略してもよい。このような場合に、受信機３の処理において、ＳＢ３〜ＳＢ７、ＳＢ１１〜ＳＢ１５の処理を省略することができる。
あるいは、異常報知情報を含む信号の送信に関する処理、及び異常取消し情報を含む信号の送信に関する処理のみを行う場合には、ＳＡ６〜ＳＡ８の処理を省略してもよい。このような場合に、受信機３の処理において、ＳＢ４〜ＳＢ６、ＳＢ１３、ＳＢ１４の処理を省略することができる。
あるいは、異常報知情報を含む信号の送信に関する処理、及び異常確認情報を含む信号の送信に関する処理のみを行う場合には、ＳＡ５、ＳＡ９、ＳＡ１０の処理を省略してもよい。このような場合に、受信機３の処理において、ＳＢ３、ＳＢ７、ＳＢ１１、ＳＢ１２、ＳＢ１５の処理を省略することができる。
【０１１８】
また、上記実施の形態１〜４では、ＳＡ４の処理においては、制御部２５は、ＳＡ３にて特定された受信機３に対して、異常報知情報を含む信号を送信させると説明したが、例えば、ＳＡ３にて特定された受信機３に加えて、異常信号が送信された受信機３に対しても、この異常報知情報を含む信号を送信させてもよい。あるいは、ＳＡ３にて特定された受信機３に加えて、ＳＡ３にて特定されなかった受信機３に対しても、この異常報知情報を含む信号を送信させてもよい。
【０１１９】
また、上記実施の形態１〜４では、ＳＡ２の処理の具体例において、住戸Ａに設置された受信機３から、当該住戸Ａで異常が発生した旨を示す異常信号が受信された場合に、住戸Ａで異常が発生した旨を報知するための異常報知情報が生成されると説明したが、これに限られない。例えば、複数の受信機３から異常信号が受信された場合、複数の住戸で異常が発生した旨を報知するための異常報知情報が生成されてもよい（ＳＡ７、ＳＡ９の処理についても同様）。
【０１２０】
（受信機の処理について）
上記実施の形態１〜４では、ＳＢ３の処理において、制御部３８は、操作部３６によって、当該受信機３の設置場所で発生した異常が取消された旨を示す信号の送信に関する入力が受け付けられたか否かを判定すると説明したが、例えば、移報端子３５によって、当該受信機３の設置場所で発生した異常が取消された旨を示す信号の送信に関する入力が受け付けられたか否かを判定してもよい。具体的には、図示しない外部機器から、異常状態から復旧した旨を示す復旧信号が移報端子３５に入力された場合には、当該受信機３の設置場所で発生した異常が取消された旨を示す信号の送信に関する入力が受け付けられたと判定する。一方、この復旧信号が移報端子３５に入力されなかった場合には、当該受信機３の設置場所で発生した異常が取消された旨を示す信号の送信に関する入力が受け付けられなかったと判定する。
【符号の説明】
【０１２１】
１  告知放送システム
２  送信機
３  受信機
９  伝送系統
２０、３０  通信部
２１、３６  操作部
２２  出力部
２３  マイク
２４  ＢＧＭ源
２５、３８  制御部
２５ａ  異常報知情報生成部
２６、３９  記憶部
２６ａ  個別アドレステーブル
２６ｂ  グループアドレステーブル
３０ａ  報知情報受信部
３０ｂ  異常信号送信部
３０ｃ  応答信号送信部
３１  音声切換え部
３２  音量調整部
３３、９２  アンプ
３４  スピーカ
３５  移報端子
３６ａ  告知再生スイッチ
３６ｂ  ＦＭ放送選択スイッチ
３６ｃ  ボリュームスイッチ
３７  表示部
３７ａ  電源表示灯
３７ｂ  緊急放送表示灯
３７ｃ  一般放送表示灯
４０  音声情報格納部
４１  筐体
４１ａ  正面カバー
４１ｂ  背面カバー
４２  音響孔
９０  ヘッドエンド
９１  伝送線路
９３  分配増幅器
９４  分配器
９５  保安器
【図１】
2014006824.tif 000003
【図２】
2014006824.tif 000004
【図３】
2014006824.tif 000005
【図４】
2014006824.tif 000006
【図５】
2014006824.tif 000007
【図６】
2014006824.tif 000008
【図７】
2014006824.tif 000009
【図８】
2014006824.tif 000010
【図９】
2014006824.tif 000011